(57)【要約】      （修正有）【課題】スケートのような自然な滑走感を得られ、関節への負担を小さく抑えることができ、容易に収納できる身体鍛錬用運動器具を提供する。【解決手段】矩形状に形成され不織布からなる滑走面部７を有するシート状のマット本体４と、該マット本体４の左右両側に設けられ左右の滑走範囲を規制すると共に収納時にマット本体４を巻き付けるべくマット本体４の左右両側に沿うロッド状に形成されたストッパ５と、マット本体４上で滑る樹脂製の靴底部を有すると共に靴底部の上面が外股側より内股側が低くなるように傾斜されたスライド靴３とを備えたものである。【選択図】図１
0003173146.tif 000002
【実用新案登録請求の範囲】
【請求項１】
矩形状に形成され不織布からなる滑走面部を有するシート状のマット本体と、該マット本体の左右両側に設けられ左右の滑走範囲を規制すると共に収納時にマット本体を巻き付けるべくマット本体の左右両側に沿うロッド状に形成されたストッパと、上記マット本体上で滑る樹脂製の靴底部を有すると共に該靴底部の上面が外股側より内股側が低くなるように傾斜されたスライド靴とを備えたことを特徴とする身体鍛錬用運動器具。
【請求項２】
上記ストッパのそれぞれの両端には拡幅部が形成され、これら拡幅部には滑走面の四隅を示すための複数色の着色が拡幅部の上面縁部と上面中央部とで明るさが異なるように施された請求項１記載の身体鍛錬用運動器具。
【請求項３】
上記スライド靴が、上記靴底部上に設けられ弾性を有する中敷部と、上記靴底部の左右両側に接続され中敷部上の使用者の足の甲に圧接されるバンド部とを備えた請求項１又は２記載の身体鍛錬用運動器具。
【請求項４】
上記バンド部が、上記靴底部の一側に接続される第１バンド片と、上記靴底部の他側に接続される第２バンド片と、これら第１バンド片と第２バンド片に設けられ第１バンド片と第２バンド片を長さ調節自在に接続する面ファスナーとを備えた請求項３記載の身体鍛錬用運動器具。
【考案の詳細な説明】
【技術分野】
【０００１】
本考案は、スケーティング運動をするための身体鍛錬用運動器具に関するものである。
【背景技術】
【０００２】
スケーティング運動ができる身体鍛錬用運動器具としては、特許文献１記載のスライディングボードが知られている。このスライディングボードは、潤滑剤を塗布した板と、板上で滑るためのフェルト製の履き物とからなる。
【０００３】
このスライディングボードによれば、室内で前後左右にスライディング運動ができる。
【先行技術文献】
【特許文献】
【０００４】
【特許文献１】実用新案登録第３１３５８２３号公報
【考案の概要】
【考案が解決しようとする課題】
【０００５】
しかしながら、上述のスライディングボードは、フェルト製の履き物を履いて板上で滑るものであるため、使用中に履き物が脱げやすいという課題があった。また、左右方向にスライド運動をするとき、靴底の全面で接地するように意識的に足首の関節を曲げなければならないため、スケートのような自然な滑走感を得られないと共に、足首や膝の関節に負担がかかる可能性があるという課題があった。またさらに、板は少なくとも成人が下肢を拡げられる程度の大きさに設定する必要があるため、一般家庭では収納に困る可能性もあった。
【０００６】
そこで、本考案の目的は、上記課題を解決し、スケートのような自然な滑走感を得られ、関節への負担を小さく抑えることができ、容易に収納できる身体鍛錬用運動器具を提供することにある。
【課題を解決するための手段】
【０００７】
上記課題を解決するために本考案は、矩形状に形成され不織布からなる滑走面部を有するシート状のマット本体と、該マット本体の左右両側に設けられ左右の滑走範囲を規制すると共に収納時にマット本体を巻き付けるべくマット本体の左右両側に沿うロッド状に形成されたストッパと、上記マット本体上で滑る樹脂製の靴底部を有すると共に該靴底部の上面が外股側より内股側が低くなるように傾斜されたスライド靴とを備えたものである。
【０００８】
上記ストッパのそれぞれの両端には拡幅部が形成され、これら拡幅部には滑走面の四隅を示すための複数色の着色が拡幅部の上面縁部と上面中央部とで明るさが異なるように施されるとよい。
【０００９】
上記スライド靴が、上記靴底部上に設けられ弾性を有する中敷部と、上記靴底部の左右両側に接続され中敷部上の使用者の足の甲に圧接されるバンド部とを備えるとよい。
【００１０】
上記バンド部が、上記靴底部の一側に接続される第１バンド片と、上記靴底部の他側に接続される第２バンド片と、これら第１バンド片と第２バンド片に設けられ第１バンド片と第２バンド片を長さ調節自在に接続する面ファスナーとを備えるとよい。
【考案の効果】
【００１１】
本考案によれば、スケートのような自然な滑走感を得られ、関節への負担を小さく抑えることができ、容易に収納できる。
【図面の簡単な説明】
【００１２】
【図１】本考案に係る身体鍛錬用運動器具を背面上方から視た斜視図である。
【図２】マット本体とストッパの平面図である。
【図３】図２の背面図である。
【図４】（ａ）は図２の側面図であり、（ｂ）は（ａ）の展開図である。
【図５】ストッパのカバー受部とマット本体の斜視図である。
【図６】ストッパのカバー部を底面側から視た斜視図である。
【図７】スライド靴の平面図である。
【図８】図７の背面図である。
【図９】図７の側面図である。
【考案を実施するための形態】
【００１３】
図１に示すように、身体鍛錬用運動器具１は、滑走面を形成するマット２と、マット２上で滑走するためのスライド靴３とからなる。
【００１４】
図２、図３及び図４（ａ）に示すように、マット２は、横長の長方形状に形成されたシート状のマット本体４と、マット本体４の左右両側に設けられ滑走範囲を決めるためのストッパ５とからなる。
【００１５】
マット本体４は、底面に合成ゴム（ＴＰＲ）が貼られた厚手の不織布からなる滑走面部７の前後にバイアステープ８を滑走面部７の前後の縁を覆うように縫い付けてなる。不織布は、ＰＥＴ（ポリエチレン・テレフタレート）からなる。滑走面部７とバイアステープ８とには互いに明るさが異なる着色が施されている。例えば、滑走面部７はグレーに設定されており、バイアステープ８は赤色に設定されており、滑走面部７とは色の明るさが異なるバイアステープ８で滑走面の終端を示すようになっている。これにより、滑走中に滑走面の終端を容易に知ることができ、滑走面部７上で安定してスケーティング運動ができるようになっている。
【００１６】
ストッパ５は、マット本体４の左右両側に沿うロッド状に形成されており、使用時に左右の滑走範囲を規制し、かつ、マット２を収納するときマット本体４を巻き付ける芯として機能するようになっている。また、それぞれのストッパ５の両端には拡幅部９ａが形成されており、マット本体４の四隅を特に強固に押さえるようになっている。具体的には、拡幅部９ａは、平面視円形の円盤状に形成されると共に上下の隅部が曲面状に面取りされている。これにより、使用者の足等が拡幅部９ａに当たっても安全を確保できるようになっている。また、それぞれの拡幅部９ａには、滑走面の四隅を示すための複数色の着色が拡幅部９ａの上面縁部１０と上面中央部１１とで明るさが異なるように施されている。例えば、拡幅部９ａの上面縁部１０はシルバーに設定され、拡幅部９ａの上面中央部１１は赤色に設定されている。それぞれのストッパ５の拡幅部９ａ間には本体部９ｂが形成されている。本体部９ｂは、マット本体４側の側面が平面に形成されると共に鉛直に起立するように形成されており、使用者の足を安定して受けるようになっている。また、本体部９ｂは、拡幅部９ａより高さを高く形成されており、使用者の足を確実に受けるようになっている。
【００１７】
図４（ｂ）、図５及び図６に示すように、ストッパ５は、下部に形成され床上に載置されるカバー受部２３と、上部に形成されカバー受部２３上に留めネジ（図示せず）を介して着脱自在に取り付けられるカバー部２４とからなる。カバー受部２３とカバー部２４との間にはマット本体４が挟んで固定されるようになっている。
【００１８】
カバー受部２３は、板状に形成された底部２３ａと、底部２３ａ上に長手方向に沿って複数設けられ上記留めネジと螺合される第１ナット部２５ａ及び第２ナット部２５ｂと、底部２３ａ上に設けられマット本体４を止めるためのマット止め２５ｃとを備える。第１ナット部２５ａは、本体部９ｂの底部２３ａ上に等間隔に５つ、上方に延びて設けられている。第２ナット部２５ｂは、拡幅部９ａのカバー受部２３に上方に延びて設けられている。マット止め２５ｃは、第１ナット部２５ａと第２ナット部２５ｂとの間の底部２３ａ上に上方に円柱状に延びて設けられた突起からなり、マット本体４の隅部に形成された止め孔２７ｃに挿通されることでマット本体４を位置決めして止めるようになっている。
【００１９】
カバー部２４は、カバー部２２の上部外殻を形成する外殻部２４ａと、外殻部２４ａに設けられ使用者からの力を受けるためのリブ２４ｂと、外殻部２４ａに設けられ留めネジを挿通すると共に係止するための第１ネジ差込部２６ａ及び第２ネジ差込部２６ｂと、外殻部２４ａに設けられマット止め２５ｃを挿入させて収容するための収容穴２６ｃとを備える。収容穴２６ｃは、マット止め２５ｃを挿入させることでカバー受部２３に対してカバー部２４を位置決めする機能を有する。第１ネジ差込部２６ａ及び第２ネジ差込部２６ｂは、リブ２４ｂと一体に形成されており、強固に形成されている。また、マット本体４には、第１ナット部２５ａ及び第２ナット部２５ｂを挿通すべく上下に貫通する貫通孔２７ａが各ナット部２５ａ、２５ｂに対応するように複数形成されており、マット本体４は、各留めネジと各ナット部２５ａ、２５ｂ、２５ｃとの締結力で固定されるようになっている。
【００２０】
カバー受部２３とカバー部２４はそれぞれ硬質の樹脂（ＡＢＳ樹脂）からなり、軽量かつ強固に形成されている。カバー受部２３の底面には、ＰＶＣ（ポリ塩化ビニル）からなる滑り止めが設けられている。
【００２１】
図７、図８及び図９に示すように、スライド靴３は、マット本体４上で滑る樹脂製の靴底部１２と、靴底部１２上に設けられた中敷部１３と、靴底部１２の左右両側に接続され中敷部１３上の使用者の足の甲に圧接されるバンド部１４とを備える。
【００２２】
靴底部１２は、特に上面の高さが外股側（足の小指側）より内股側（足の親指側）が低くなるように傾斜されており、使用者の足を内股側にわずかな角度（約５°、ただし、４°以上、７°以下の範囲であってもよい）傾斜させるようになっている。また、靴底部１２は、前後両端に向かうにつれて底面１５がマット本体４から離間するように形成されると共に、底面１５の縁部に全周に亘って曲面状の面取りが施されており、マット本体４上でいずれの方向にスライド運動をしても靴底部１２がマット本体４に引っ掛からないようになっている。靴底部１２の左右両側には、バンド部１４を取り付けるためのバンド取付部１６が一体に形成されている。バンド取付部１６は靴底部１２の左右両側に前後に延びると共に起立して形成された起立部１７にバンド部１４を挿通して取り付けるための取付孔１８を形成してなる。起立部１７は、側面から視たとき上方に向かうにつれて前後の長さが短くなる台形状に形成されており、バンド部１４の張力で傾倒したとき足の下部に広い面積でフィットしつつも足首の関節には干渉しないようになっている。取付孔１８は前後に延びるスリット状に形成されており、バンド部１４を強固に取り付けられるようになっている。
【００２３】
中敷部１３は、弾性を有する樹脂からなる芯材（図示せず）の表面に滑り止め機能を有する布を貼着してなる。また、中敷部１３は、前後左右の中央に使用者の足を保持するための窪み１９を有し、使用者の足にフィットするようになっている。
【００２４】
バンド部１４は、靴底部１２の一側に接続される第１バンド片２０と、靴底部１２の他側に接続される第２バンド片２１と、これら第１バンド片２０と第２バンド片２１に設けられ第１バンド片２０と第２バンド片２１を長さ調節自在に接続する面ファスナー（図示せず）とを備える。第１バンド片２０と第２バンド片２１は、左右方向に延びると共に前後方向に幅広に形成されている。また、第１バンド片２０と第２バンド片２１は、高強度の樹脂からなる布で形成されている。第１バンド片２０と第２バンド片２１の後部には、使用者の足首への干渉を防ぐための切欠２２が形成されている。
【００２５】
次に本実施の形態の作用を述べる。
【００２６】
身体鍛錬用運動器具１を用いて左右方向のスケーティング（サイド・スケーティング）運動を行う場合、まず、スライド靴３を履くと共に体の正面をマット２の前後方向に向けてマット本体４上に乗る。
【００２７】
次に、両脚を左右に開き、一方の脚に体重を乗せると共に一方の脚の膝を軽く曲げ、この脚をゆっくりと側方に蹴り出しつつ重心を他方の脚に移動させて他方の脚を蹴り出し方向とは反対の方向に滑らせつつ、一方の脚を他方の脚に引き寄せる。このとき、スライド靴３の靴底部１２は外股側より内股側が下がるように傾斜されているため、双方の足がスケートをしているかのように傾斜され、マット本体４上で自然な感覚で滑走することができる。またさらに、両足を安定して一定の角度に傾斜できるため、誤って足が外股側に傾斜するのを防ぐことができ、足首や膝に負担がかかったり足を挫くのを防ぐことができる。また、他方の足は、ストッパ５に当たって移動を規制されるため、マット本体４上から長手方向にはみ出すことはない。
【００２８】
この後、他方の足を一方の足とは反対の方向に蹴り出して一方の足を蹴り出し方向とは反対の方向に滑らせつつ、他方の脚を一方の脚に引き寄せる。このとき、軸足となる他方の足はストッパ５に当たっているため、ストッパ５からの反力で安定して一方の足を蹴り出すことができる。以降、同様のサイド・スケーティング運動を交互に行う。
【００２９】
かかる運動によれば、ランニングマシンやウォーキングマシン等を用いた運動よりも足の着地を広い面積でゆっくりと行うことができ、足腰等の関節に作用する衝撃を緩和できる。また、自体重を用いた無理のないエクササイズができ、下半身の引締め効果とシェイプアップ効果を得ることができる。
【００３０】
また、身体鍛錬用運動器具１を用いて前後方向のスケーティング運動（シザース・スケーティング運動）を行う場合、まず、スライド靴３を履くと共に体の正面をマット２の左右方向（長手方向）に向けてマット本体４上に乗る。
【００３１】
次に、両脚を揃えて立ち、一方の脚を体の前方に開くと同時に他方の脚を体の後方に開く。このとき、スライド靴３の靴底部１２は外股側より内股側が下がるように傾斜されているため、両膝を内股側に閉じた状態に保つことができ、膝の関節に負担がかかるのを防ぐことができる。また、開いた足は、それぞれストッパ５に当たって移動を規制されるため、マット本体４上から長手方向にはみ出すことはない。
【００３２】
この後、一方の脚を体の後方に開くと同時に他方の脚を体の前方に開き、以降、同様のシザース・スケーティング運動を交互に行う。
【００３３】
かかる運動によっても足腰等の関節に作用する衝撃を緩和でき、下半身の引締め効果とシェイプアップ効果を得ることができる。
【００３４】
身体鍛錬用運動器具１を収納する場合、一対のストッパ５を揃えて持ち、これらストッパ５にマット本体４を巻き付けることで身体鍛錬用運動器具１をコンパクトにでき、一般家庭でも容易に収納できる。
【００３５】
このように、矩形状に形成され不織布からなる滑走面部７を有するシート状のマット本体４と、マット本体４の左右両側に設けられ左右の滑走範囲を規制すると共に収納時にマット本体４を巻き付けるべくマット本体４の左右両側に沿うロッド状に形成されたストッパ５と、マット本体４上で滑る樹脂製の靴底部１２を有すると共に靴底部１２の上面が外股側より内股側が低くなるように傾斜されたスライド靴３とを備えて身体鍛錬用運動器具１を構成したため、スケートのような自然な滑走感でフィットネスができ、関節への負担を小さく抑えることができ、容易に収納できる。また、足はスライド靴３によって安定して所定の角度に保持されるため、スケート経験がない子供や身体能力が衰えた年輩者であっても安全にスケーティング運動ができ、家族みんなでシェイプアップできる。
【００３６】
ストッパ５のそれぞれの両端には拡幅部９ａが形成され、これら拡幅部９ａには滑走面の四隅を示すための複数色の着色が拡幅部９ａの上面縁部１０と上面中央部１１とで明るさが異なるように施されるものとしたため、簡易な構造で容易に滑走面の四隅を知ることができ、滑走面の範囲を概略的に把握でき、滑走面部７上で安定してスケーティング運動ができる。
【００３７】
スライド靴３が、靴底部１２上に設けられ弾性を有する中敷部１３と、靴底部１２の左右両側に接続され中敷部１３上の使用者の足の甲に圧接されるバンド部１４とを備えるものとしたため、使用者の足にスライド靴３を簡易な構造でフィットさせることができ、安定してスケーティング運動ができる。
【００３８】
バンド部１４が、靴底部１２の一側に接続される第１バンド片２０と、靴底部１２の他側に接続される第２バンド片２１と、これら第１バンド片２０と第２バンド片２１に設けられ第１バンド片２０と第２バンド片２１を長さ調節自在に接続する面ファスナーとを備えるものとしたため、使用者の足にスライド靴３を使用者の足のサイズにかかわらずフィットさせることができ、安定してスケーティング運動ができる。
【００３９】
なお、マット本体４は横長の長方形に形成されるものとしたが、これに限るものではない。正方形状や他の矩形状であってもよい。
【００４０】
また、身体鍛錬用運動器具１を収納する場合、一対のストッパ５を揃え、これらストッパ５にマット本体４を巻き付けるものとしたが、一方のストッパ５にマット本体４を巻き付けてもよい。
【００４１】
またさらに、マット本体４は、不織布の前後にバイアステープ８を縫い付けてなるものとしたがこれに限るものではない。例えば、マット本体４は、不織布より伸びにくい布からなる強度シート部（図示せず）上に滑走面部７を重ねて設けたものとしてもよい。この場合、強度シート部は滑走面部７より前後に大きく形成し、強度シート部の前後の縁部を露出させるとよい。また、強度シート部と滑走面部７とに互いに明るさが異なる着色を施し、強度シート部の前後の縁部で滑走面の終端を示すようにするとよい。例えば、強度シート部を赤色に設定し、滑走面部７をグレーに設定するとよい。
【００４２】
また、使用者が小柄な場合、マット２の左右の片側を折り曲げ、マット２の左右を長さを短くして使用してもよい。
【００４３】
またさらに、ストッパ５は、マット本体４に着脱自在に設けてもよく、マット本体４に左右の位置を調節自在に設けるものとしてもよい。この場合、ストッパ５はマット本体４を上下から挟んでマット本体４に留められるクリップ部（図示せず）を備えるとよい。
【符号の説明】
【００４４】
１  身体鍛錬用運動器具
２  マット
３  スライド靴
４  マット本体
５  ストッパ
７  滑走面部
８  バイアステープ
９ａ  拡幅部
９ｂ  本体部
１０  上面縁部
１１  上面中央部
１２  靴底部
１３  中敷部
１４  バンド部
１５  底面
１６  バンド取付部
１７  起立部
１８  取付孔
１９  窪み
２０  第１バンド片
２１  第２バンド片
２２  切欠
２３  カバー受部
２３ａ  底部
２４  カバー部
２４ａ  外殻部
２４ｂ  リブ
２５ａ  第１ナット部
２５ｂ  第２ナット部
２５ｃ  マット止め
２６ａ  第１ネジ差込部
２６ｂ  第２ネジ差込部
２６ｃ  位置決め穴
２７ａ  貫通孔
２７ｃ  止め孔
【図１】
0003173146.tif 000003
【図２】
0003173146.tif 000004
【図３】
0003173146.tif 000005
【図４】
0003173146.tif 000006
【図５】
0003173146.tif 000007
【図６】
0003173146.tif 000008
【図７】
0003173146.tif 000009
【図８】
0003173146.tif 000010
【図９】
0003173146.tif 000011